【手続補正書】
【提出日】平成24年1月10日(2012.1.10)
【手続補正１】
【補正対象書類名】明細書
【補正対象項目名】０００９
【補正方法】変更
【補正の内容】
【０００９】
本発明の一実施形態に係るカスタムカラープリントヘッドモジュールは、第１プリントヘッドに対して第１色のインクを供給する第１インク源に接続され、前記第１インク源からの第１色のインク送給をその開閉によって断続させるように構成された吐出弁を有する第１ディスペンサと、
第２プリントヘッドに対して前記第１色とは異なる第２色のインクを供給する第２インク源に接続され、前記第２インク源からの第２色のインク送給をその開閉によって断続させるように構成された吐出弁を有する第２ディスペンサと、
第１受入口および第２受入口を有する調合リザーバであって、前記第１受入口は前記調合リザーバが前記第１ディスペンサからの第１色のインクを受け入れるために前記第１ディスペンサの吐出弁に着脱可能に連結され、前記第２受入口は前記調合リザーバが前記第２ディスペンサからの第２色のインクを受け入れるために前記第２ディスペンサの吐出弁に着脱可能に連結される、調合リザーバと、
前記調合リザーバに設けられ、前記調合リザーバ内で前記第１色のインクと前記第２色のインクとを混合して、前記第１色および前記第２色のいずれとも異なる第３色のインクを調合する、調合素子と、
前記調合リザーバの吐出口と第３プリントヘッドとに接続され、前記第３プリントヘッドに対する前記第３色のインクの送給をその開閉によって断続するように構成された吐出弁を有する第３ディスペンサと、
前記調合リザーバおよび前記第３プリントヘッドを支持し、前記第１受入口および前記第２受入口を前記第１ディスペンサの吐出弁および前記第２ディスペンサの吐出弁にそれぞれ連通させることを可能にするハウジングと、
前記第１ディスペンサ、前記第２ディスペンサ、前記第３ディスペンサおよび前記調合素子を制御可能に接続されるコントローラと、を備え、
前記コントローラは、前記第１ディスペンサの吐出弁および前記第２ディスペンサの吐出弁を開閉して第１色のインクおよび第２色のインクを前記第１受入口および前記第２受入口を介して前記調合リザーバにそれぞれ流入させ、前記調合素子を作動させて混合し、前記第３ディスペンサの吐出弁を開閉制御して前記第３プリントヘッドへの第３色のインクの送給を断続させ、これと同時に前記第１プリントヘッドは前記第１インク源から第１色のインクを継続して受け入れると共に前記第２プリントヘッドは前記第２インク源から第２色のインクを継続して受け入れる。
【手続補正２】
【補正対象書類名】特許請求の範囲
【補正対象項目名】全文
【補正方法】変更
【補正の内容】
【特許請求の範囲】
【請求項１】
インクジェット成像装置に用いられるカスタムカラープリントヘッドモジュールであって、
第１プリントヘッドに対して第１色のインクを供給する第１インク源に接続され、前記第１インク源からの第１色のインク送給をその開閉によって断続させるように構成された吐出弁を有する第１ディスペンサと、
第２プリントヘッドに対して前記第１色とは異なる第２色のインクを供給する第２インク源に接続され、前記第２インク源からの第２色のインク送給をその開閉によって断続させるように構成された吐出弁を有する第２ディスペンサと、
第１受入口および第２受入口を有する調合リザーバであって、前記第１受入口は前記調合リザーバが前記第１ディスペンサからの第１色のインクを受け入れるために前記第１ディスペンサの吐出弁に着脱可能に連結され、前記第２受入口は前記調合リザーバが前記第２ディスペンサからの第２色のインクを受け入れるために前記第２ディスペンサの吐出弁に着脱可能に連結される、調合リザーバと、
前記調合リザーバに設けられ、前記調合リザーバ内で前記第１色のインクと前記第２色のインクとを混合して、前記第１色および前記第２色のいずれとも異なる第３色のインクを調合する、調合素子と、
前記調合リザーバの吐出口と第３プリントヘッドとに接続され、前記第３プリントヘッドに対する前記第３色のインクの送給をその開閉によって断続するように構成された吐出弁を有する第３ディスペンサと、
前記調合リザーバおよび前記第３プリントヘッドを支持し、前記第１受入口および前記第２受入口を前記第１ディスペンサの吐出弁および前記第２ディスペンサの吐出弁にそれぞれ連通させることを可能にするハウジングと、
前記第１ディスペンサ、前記第２ディスペンサ、前記第３ディスペンサおよび前記調合素子を制御可能に接続されるコントローラと、を備え、
前記コントローラは、前記第１ディスペンサの吐出弁および前記第２ディスペンサの吐出弁を開閉して第１色のインクおよび第２色のインクを前記第１受入口および前記第２受入口を介して前記調合リザーバにそれぞれ流入させ、前記調合素子を作動させて混合し、前記第３ディスペンサの吐出弁を開閉制御して前記第３プリントヘッドへの第３色のインクの送給を断続させ、これと同時に前記第１プリントヘッドは前記第１インク源から第１色のインクを継続して受け入れると共に前記第２プリントヘッドは前記第２インク源から第２色のインクを継続して受け入れる、
カスタムカラープリントヘッドモジュール。
【請求項２】
請求項１記載のカスタムカラープリントヘッドモジュールにおいて、
複数のカスタムカラーインク識別子を記憶するメモリを備え、前記メモリは各カスタムカラーインク識別子に関連付けて記憶されたカスタムカラー調合データを含んでおり、
前記コントローラは、前記メモリにアクセスして、前記メモリに記憶されたカスタムカラーインク識別子の１つに関連付けて記憶されているカスタムカラー調合データに応じた第１色のインクおよび第２色のインクの各量を前記調合リザーバに供給するように、前記第１ディスペンサの吐出弁および前記第２ディスペンサの吐出弁をそれぞれ開閉制御する、
カスタムカラープリントヘッドモジュール。
【請求項３】
請求項２記載のカスタムカラープリントヘッドモジュールにおいて、
前記コントローラは、前記第３色のインクの色に対応するカスタムカラーインク識別子を受け取るように構成されるとともに、前記メモリにアクセスして、前記カスタムカラーインク識別子を用いて前記第３色のインクに対応するカスタムカラー調合データを取得する、
カスタムカラープリントヘッドモジュール。
【請求項４】
請求項２記載のカスタムカラープリントヘッドモジュールにおいて、
前記カスタムカラーインク識別子はＰａｎｔｏｎｅ数からなる、
カスタムカラープリントヘッドモジュール。
【請求項５】
請求項１記載のカスタムカラープリントヘッドモジュールにおいて、
前記第３色のインクの光学特性を検知するセンサを備え、
前記コントローラは、前記センサによる光学特性検知結果を前記第３色のインクの目標光学特性と比較し、その目標光学特性に対する光学特性検知結果のずれが補償されるように、前記第１ディスペンサの吐出弁および前記第２ディスペンサの吐出弁を開閉制御して第１色のインクおよび第２色のインクの少なくとも一方を前記調合リザーバに供給し、前記光学特性検知結果が前記目標光学特性に合致したら前記第３ディスペンサの吐出弁を開いて第３色のインクを前記第３プリントヘッドに供給する、
カスタムカラープリントヘッドモジュール。
【請求項６】
請求項２記載のカスタムカラープリントヘッドモジュールにおいて、
前記コントローラは、前記メモリに記憶されているカスタムカラー識別子の少なくとも１つに対応するカスタムカラー調合データを受け取り、その調合データをカスタムカラー修正データに従って修正し、修正された調合データを少なくとも１つのカスタムカラー識別子に関連付けて前記メモリに記憶する、
カスタムカラープリントヘッドモジュール。
【請求項７】
請求項１記載のカスタムカラープリントヘッドモジュールにおいて、
前記調合リザーバ内のインクレベルを検知するレベルセンサをさらに備え、
前記コントローラは、前記レベルセンサによって検知される前記調合リザーバ内のインクのレベルを監視し、検知されるインクレベルに応じて前記第１ディスペンサの吐出弁および前記第２ディスペンサの吐出弁の少なくとも一方を制御する、
カスタムカラープリントヘッドモジュール。